(57)【特許請求の範囲】
【請求項１】
内容物が充填される内容器と、
その内容器を収容する外容器と、
前記内容器の口頚部と前記外容器の入口部とに着脱可能に装着される吐出器と、
を備える付替え式吐出容器において、
前記内容器の底部に内方へ変形可能な外向き突出部を設け、
前記内容器の口頚部および前記外容器の入口部への前記吐出器の並行する装着により、前記内容器の底部の前記外向き突出部が前記外容器の底部内面により押圧されて変形するようにしたことを特徴とする付替え式吐出容器。
【請求項２】
前記吐出器は前記内容器の口頚部に螺合により装着され、
前記外容器の底部内面と前記内容器の底部外面との少なくとも一方に、それら外容器と内容器とを互いに係合させて前記内容器の装着の際のそれら外容器と内容器との相対回転を制止する係合部を設けたことを特徴とする、請求項１記載の付替え式吐出容器。
【請求項３】
前記係合部は、前記外容器の底部内周面と前記内容器の底部外周面とに互いに対向して当接するように形成された平坦面であることを特徴とする、請求項２記載の付替え式吐出容器。
【請求項４】
前記吐出器は前記外容器の入口部に螺合により装着され、
前記係合部は、前記外容器の内側底面と前記内容器の外側底面とに前記相対回転方向に互いに掛合するように形成された突起部であることを特徴とする、請求項２記載の付替え式吐出容器。
【請求項５】
前記係合部は、前記外容器の底部内面と前記内容器の底部外面との少なくとも一方に形成されて他方への押し付けにより圧縮変形され、反発力による摩擦力によって前記相対回転を制止する弾性要素であることを特徴とする、請求項２記載の付替え式吐出容器。
【請求項６】
前記係合部は、前記外容器の底部の少なくとも内周面に設けられて前記内容器の底部の少なくとも外周面を囲む弾性部材であることを特徴とする、請求項５記載の付替え式吐出容器。
【請求項７】
前記係合部は、前記内容器の底部の外側底面に設けられた少なくとも１個の突起状の弾性部材であることを特徴とする、請求項５記載の付替え式吐出容器。
【発明の詳細な説明】
【技術分野】
【０００１】
本発明は、内容物が充填される内容器と、その内容器を収容する外容器と、前記内容器の口頚部と前記外容器の入口部とに着脱可能に装着される吐出器と、を備える付替え式吐出容器に関するものである。
【背景技術】
【０００２】
付替え式吐出容器は通常、内容物が充填される内容器と、その内容器を収容する外容器と、前記内容器の口頚部と前記外容器の入口部とに着脱可能に装着される吐出器と、を備えており、吐出器のヘッドが押し下げ操作されると、内容器内の液体等の内容物が吸い上げられて吐出器から吐出され、内容器内の内容物がなくなると、外容器内の内容器が、内容物を充填された新たな内容器に付け替えられる。
【０００３】
ところで、このような従来の付替え式吐出容器としては、例えば本願出願人が特許文献１にて開示したものが知られている。この付替え式吐出容器では、外容器内に挿入された内容器の肩部から突出するリブ片が、外容器の入口部に形成された切欠き内に嵌合した状態で、外容器の入口部に吐出器の本体と別体にされた保持部が嵌着されて内容器が外容器内に保持されるとともに、その内容器の口頚部に吐出器が螺合されて吐出器が外容器に装着されており、これにより内容器の付替えは、先ず保持部を外容器から外して内容器を外容器から取り出し、次いでその内容器の口頚部から吐出器を外し、次いで内容物を充填された新たな内容器の口頚部に吐出器を螺合させ、その後、その内容器を外容器内に挿入しつつ内容器のリブ片を位置合わせして外容器の切欠き内に嵌合させ、次いで保持部を外容器の入口部に嵌着することで内容器を外容器内に保持するとともに吐出器を外容器に装着する、という手順で行われる。
【先行技術文献】
【特許文献】
【０００４】
【特許文献１】特許第５１６８５４５号公報
【０００５】
しかしながら上記従来の付替え式吐出容器では、内容器の付替えのための手数が多く面倒な作業が必要であり、その作業により一層の簡素化が望まれていた。また、この種の付替え式吐出容器では、外容器に対する内容器と吐出器との固定が充分でなく、内容器の肩部から突出するリブ片が外容器の入口部の切欠き内で上下に動いてガタツキ音が発生するため、改善の余地が残されていた。
【発明の開示】
【発明が解決しようとする課題】
【０００６】
それゆえ本発明の目的は、付替え式吐出容器における上述の如き課題を解消することにある。
【課題を解決するための手段】
【０００７】
上記課題を解決する本発明の付替え式吐出容器は、
内容物が充填される内容器と、
その内容器を収容する外容器と、
前記内容器の口頚部と前記外容器の入口部とに着脱可能に装着される吐出器と、
を備える付替え式吐出容器において、
前記内容器の底部に内方へ変形可能な外向き突出部を設け、
前記内容器の口頚部および前記外容器の入口部への前記吐出器の並行する装着により、前記内容器の底部の前記外向き突出部が前記外容器の底部内面により押圧されて変形するようにしたことを特徴とするものである。
【発明の効果】
【０００８】
本発明の付替え式吐出容器にあっては、吐出器の操作によって内容器内の液体等の内容物が吸い上げられて吐出器から吐出され、内容器内の内容物がなくなると、外容器内の内容器が、内容物を充填された新たな内容器に付け替えられる。そしてその付替えの際は、先ず吐出器を外容器から外して内容器を外容器から取り出し、次いでその内容器の口頚部から吐出器を外し、次いで内容物を充填された新たな内容器を外容器内に挿入し、次いで内容器の底部の外向き突出部を外容器の底部内面により押圧して変形させながら、その内容器の口頚部および外容器の入口部に吐出器を並行して装着する、という手順で行われる。
【０００９】
従って、本発明の付替え式吐出容器によれば、内容器の付替えの際の手数が減るので付替えの手間を省くことができ、しかも吐出器を内容器の口頚部および外容器の入口部に装着する際に変形した内容器の底部の外向き突出部が吐出器と外容器の底部とを反発力で押圧するので外容器に対する内容器と吐出器との固定を充分なものとすることができる。
【００１０】
なお、本発明の付替え式吐出容器においては、前記吐出器は前記内容器の口頚部に螺合により装着され、前記外容器の底部内面と前記内容器の底部外面との少なくとも一方に、それら外容器と内容器とを互いに係合させて前記内容器の装着の際のそれら外容器と内容器との相対回転を制止する係合部を設けておくと好ましい。このようにすれば、内容器を外容器に挿入すると係合部がそれらの相対回転を制止するので、外容器を回転させることで内容器の口頚部に吐出器を螺合させて装着することができる。
【００１１】
さらに、本発明の付替え式吐出容器においては、前記係合部は、前記外容器の底部内周面と前記内容器の底部外周面とに互いに対向して当接するように形成された平坦面であると好ましい。このようにすれば、他の部材を用いずに係合部を構成することができる。
【００１２】
さらに、本発明の付替え式吐出容器においては、前記吐出器は前記外容器の入口部に螺合により装着され、前記係合部は、前記外容器の内側底面と前記内容器の外側底面とに前記相対回転方向に互いに掛合するように形成された突起部であると好ましい。このようにすれば、内容器を外容器に挿入すると外容器の内側底面と内容器の外側底面とに相対回転方向に互いに掛合する突起部がそれらの相対回転を制止するので、吐出器を回転させることで、内容器の口頚部に吐出器を螺合により装着するとともに、外容器の入口部に吐出器を螺合により装着することができる。
【００１３】
また、本発明の付替え式吐出容器においては、前記係合部は、前記外容器の底部内面と前記内容器の底部外面との少なくとも一方に形成されて他方への押し付けにより圧縮変形され、反発力による摩擦力によって前記相対回転を制止する弾性要素であると好ましい。このようにすれば、係合部が簡易な構成で外容器と内容器との相対回転を制止することができる。
【００１４】
さらに、本発明の付替え式吐出容器においては、前記係合部は、前記外容器の底部の少なくとも内周面に設けられて前記内容器の底部の少なくとも外周面を囲む弾性部材であると好ましい。このようにすれば、係合部を簡易に構成することができる。
【００１５】
この一方、本発明の付替え式吐出容器においては、前記係合部は、前記内容器の底部の外側底面に設けられた少なくとも１個の突起状の弾性部材であっても好ましい。このようにしても、係合部を簡易に構成することができる。
【図面の簡単な説明】
【００１６】
【図１】（ａ）は、本発明の付替え式吐出容器の一実施例の全体構成を、中心線を境とした右半部を断面として示す側面図であり、（ｂ）は、（ａ）中のＡ−Ａ線に沿う断面図であり、（ｃ）は、その実施例の付替え式吐出容器の外容器の装着前の状態を、キャップを省略するとともに中心線を境とした右半部を断面として示す側面図である。
【図２】（ａ）は、本発明の付替え式吐出容器の他の一実施例の全体構成を、中心線を境とした右半部を断面として示す側面図であり、（ｂ）は、その実施例の付替え式吐出容器の外容器の装着前の状態を、キャップを省略するとともに中心線を境とした右半部を断面として示す側面図であり、（ｃ）は、（ｂ）中のＢ−Ｂ線に沿う断面図である。
【図３】（ａ）は、本発明の付替え式吐出容器のさらに他の一実施例の全体構成を、中心線を境とした右半部を断面として示す側面図であり、（ｂ）は、その実施例の付替え式吐出容器の外容器を示す、中心線を境とした右半部の断面図であり、（ｃ）は、その実施例の付替え式吐出容器の外容器の装着前の状態を、キャップを省略するとともに中心線を境とした右半部を断面として示す側面図である。
【図４】（ａ）は、本発明の付替え式吐出容器のさらに他の一実施例の全体構成を、中心線を境とした右半部を断面として示す側面図であり、（ｂ）は、その実施例の付替え式吐出容器の内容器を、中心線を境とした右半部を一部切欠いて示す側面図であり、（ｃ）は、その内容器の底面図であり、（ｄ）は、その実施例の付替え式吐出容器の外容器の装着前の状態を、キャップを省略するとともに中心線を境とした右半部を断面として示す側面図である。
【発明を実施するための形態】
【００１７】
以下、本発明の実施の形態を、図面に基づく実施例により詳細に説明する。ここに図１（ａ）は、本発明の付替え式吐出容器の一実施例の全体構成を、中心線を境とした右半部を断面として示す側面図であり、図１（ｂ）は、図１（ａ）中のＡ−Ａ線に沿う断面図であり、図１（ｃ）は、その実施例の付替え式吐出容器の外容器の装着前の状態を、キャップを省略するとともに中心線を境とした右半部を断面として示す側面図である。
【００１８】
図１中符号１は内容器、２は外容器、３は吐出器（ポンプ）、４は吐出器３の保持部、５はオーバーキャップをそれぞれ示す。この実施例では、内容器１は、その頂部に充填空間Ｍに連通する通路を形成する口頚部１ａを有するとともに、口頚部１ａの下端に肩部１ｂを有し、この肩部１ｂの外周端から下方に胴部１ｃが形成され、この胴部１ｃの下端に底部１ｄが形成されて、有底の筒状をなしており、その口頚部１ａの外周面には、おねじ部１ｅが形成されている。なお、底部１ｄは底壁の他にその底壁の近傍の周壁も含んでいる。
【００１９】
外容器２は、入口部２ａを有するとともに、入口部２ａの下端から下方に延在する、内容器１を内部に収容可能な胴部２ｂを有し、この胴部２ｂの下端に底部２ｃが形成されて、これも有底の筒状をなしており、その入口部２ａの外周面には、おねじ部２ｄが形成されている。この外容器２のおねじ部２ｄは、後述するように吐出器３への内容器１のおねじ部１ｅの螺合と同時に保持部４に螺合できかつその際に内容器１の内方へ変形可能な環状の外向き突出部１ｆを変形させ得るように、内容器１のおねじ部１ｅと同じねじピッチとされている。なお、底部２ｃは底壁の他にその底壁の近傍の周壁も含んでいる。
【００２０】
吐出器３は、ベースキャップ６と、保持部４と、吐出器本体７と、ノズルヘッド８とを有しており、ベースキャップ６は、内容器１の口頚部１ａを着脱可能に装着されるもので、中央部に上端で互いに繋がった二重筒部６ａが立設された天面板６ｂと、天面板６ｂの外周端より垂下されて内容器１の口頚部１ａを囲繞する筒体６ｃと、筒体６ｃの内側に形成され、内容器１の口頚部１ａのおねじ部１ｅを螺合されるめねじ部６ｄと、天面板６ｂの周辺部より立設された起立環状周壁６ｅとを有している。そして筒体６ｃの周囲には、起立環状周壁６ｅの上端から筒体６ｃの下端にかけて覆う筒状のカバー６ｆが嵌着固定されており、そのカバー６ｆの周囲には、オーバーキャップ５の内筒５ａの内周面の凹部と嵌合してオーバーキャップ５をノズルヘッド８を覆う位置に保持する複数の突起が設けられている。なお、ベースキャップ６は内容器１の口頚部１ａに、螺合される代わりにアンダーカット形状で嵌着されるものでもよい。
【００２１】
保持部４は、ベースキャップ６の筒体６ｃの下端に一体連結されたフランジ状部分で互いに上端が繋がって垂下された二重筒状をなす外筒体４ａおよび内筒体４ｂと、外筒体４ａの内側に形成され、外容器２の入口部２ａのおねじ部２ｄに螺合されるめねじ部４ｃとを有している。また、吐出器本体７は、ベースキャップ６の天面板６ｂの二重筒部６ａにより上記口頚部１ａを通して内容器１の内部に吊り下げ固定されており、ノズルヘッド８の押し下げおよび上昇によりピストンを駆動して内容器１内の内容物を吸引、加圧、圧送するものである。
【００２２】
ノズルヘッド８は、押圧力を直接付与される操作部８ａと、吐出器本体７の中空ステムの上端部と密に嵌合する内側筒体８ｂと、その内側筒体８ｂと連結されて上記中空ステムから送給される内容物を外部に向けて吐出するノズル８ｃと、操作部８ａに覆われるとともに内側筒体８ｂを囲繞する外側筒体８ｄとを有しており、ノズルヘッド８の押し下げ時にはその外側筒体８ｄが操作部８ａの筒状部とともに、ベースキャップ６の起立環状周壁６ｅの内側の環状凹部内に収容される。
【００２３】
さらにこの実施例では、内容器１の底部１ｄの周辺部分に内方へ変形可能な環状の外向き突出部１ｆを設け、その外向き突出部１ｆの変形前の状態では、図１（ｃ）に示すように、内容器１の口頚部１ａのおねじ部１ｅへのベースキャップ６の筒体６ｃのめねじ部６ｄの螺合と、外容器２の入口部２ａのおねじ部２ｄへの保持部４の外筒体４ａのめねじ部４ｃの螺合とが順次に開始されて並行して行われるように、外容器２の深さに対する内容器１の高さが設定されて、内容器１の口頚部１ａが外容器２の入口部２ａから突出している。
【００２４】
またこの実施例では、それら外容器２と内容器１とを互いに係合させて内容器１の装着の際のそれら外容器２と内容器１との相対回転を制止する係合部として、外容器２の底部２ｃの内面としての内周面に、互いに９０°をなして上下方向へ延在する４箇所の縦壁状の平坦面２ｅを形成するとともに、内容器１の底部１ｄの外面としての外周面にも、互いに９０°をなして上下方向へ延在し、外容器２の４箇所の平坦面２ｅとそれぞれ互いに対向して当接する４箇所の平坦面１ｇを形成している。
【００２５】
この実施例の付替え式吐出容器の内容器１の充填空間Ｍ内の内容物を吐出させる際には、指先等でノズルヘッド８に押圧力を加えてノズルヘッド８を押し下げる操作を行う。そうすると、吐出器本体７が駆動され、先に内容器１の充填空間Ｍ内から吐出器本体７内に吸引されていた内容物がノズルヘッド８のノズル８ｃの先端孔から外部に吐出される。
【００２６】
そしてその後、ノズルヘッド８の押圧力を解除して内部のスプリングの弾性復元力によりノズルヘッド８を上昇させると、その上昇の間に内容器１内の内容物が吸入管１５を介して吐出器本体７内に吸い上げられ、次回のノズルヘッド８の押し下げにより内容物が吐出される。
【００２７】
このようにして内容器１の充填空間Ｍ内の内容物が吐出され、内容器１の充填空間Ｍ内の内容物がなくなると、外容器２内の内容器１が、内容物を充填された新たな内容器１に付け替えられる。
【００２８】
そしてその付替えの際の作業は、この実施例の付替え式吐出容器では、先ず吐出器３の保持部４を外容器２から外して内容器１を外容器２から取り出し、次いでその内容器１の口頚部１ａから吐出器３のベースキャップ６を外し、次いで内容物を充填された新たな内容器１を外容器２内に挿入し、次いでその内容器１の口頚部１ａへの吐出器３のベースキャップ６の螺合と外容器２の入口部２ａへの吐出器３の保持部４の螺合とを順次に開始させた後、内容器１の底部１ｄの外向き突出部１ｆを外容器２の底部２ｃの内面により押圧して変形させながら、内容器１の口頚部１ａに吐出器３のベースキャップ６を螺合させて装着するのと並行して外容器２の入口部２ａに吐出器３の保持部４を螺合させて装着する、という手順で行われる。なお、各部には遊びを設けるので、ここにおける「同時」とは「実質的に同時」であり、「厳密に同時」でなくても良い。また、内容器１の口頚部１ａへの吐出器３のベースキャップ６の螺合と外容器２の入口部２ａへの吐出器３の保持部４の螺合とを同時に開始させてもよい。
【００２９】
従って、この実施例の付替え式吐出容器によれば、内容器１の付替えの際の手数が従来よりも減るので付替えの手間を省くことができ、しかも内容器１の口頚部１ａに吐出器３を装着すると同時に外容器２の入口部２ａに吐出器３を装着する際に変形した内容器１の底部１ｄの外向き突出部１ｆが、保持部材４と外容器２の底部２ｃとを反発力で押圧するので、外容器２に対する内容器１と吐出器３との固定を充分なものとすることができる。なお、一旦変形した内容器１の底部１ｄの外向き突出部１ｆは、通常は内容器１を外容器２内から取り出しても元に戻らないが、元に戻るように構成してもよい。
【００３０】
さらに、この実施例の付替え式吐出容器によれば、外容器２の深さに対する内容器１の高さの設定により、図１（ｃ）に示すように吐出器３の、ベースキャップ６の筒体６ｃのめねじ部６ｄが内容器１の口頚部１ａのおねじ部１ｅに螺合するのと、保持部４の外筒体４ａのめねじ部４ｃが外容器２の入口部２ａのおねじ部２ｄに螺合するのとが、順次にあるいは同時に開始されて並行して行われ、その際、外容器２の平坦面２ｅと内容器１の平坦面１ｇとが互いに当接して外容器２に対する内容器１の相対回転を制止するので、内容器１と外容器２とが回転しない（回り止めされる）ため、吐出器３のベースキャップ６およびそれと一体の保持部４を外容器２に対し回転させることで、吐出器３を内容器１の口頚部１ａに螺合させて装着するのと吐出器３を外容器２の入口部２ａに螺合させて装着するのとを１つの作業で同時に行うことができ、付替えの手間を大きく省くことができる。
【００３１】
さらに、この実施例の付替え式吐出容器によれば、外容器２と内容器１とを互いに係合させて内容器１の装着の際のそれら外容器２と内容器１との相対回転を制止する係合部を、外容器２と内容器１とに形成した平坦面２ｅ，１ｇで構成するので、他の部材を用いずに係合部を構成することができる。
【００３２】
図２（ａ）は、本発明の付替え式吐出容器の他の一実施例の全体構成を、中心線を境とした右半部を断面として示す側面図であり、図２（ｂ）は、その実施例の付替え式吐出容器の外容器の装着前の状態を、キャップを省略するとともに中心線を境とした右半部を断面として示す側面図であり、図２（ｃ）は、図２（ｂ）中のＢ−Ｂ線に沿う断面図である。
【００３３】
この第２の実施例の付替え式吐出容器は、外容器２と内容器１とを互いに係合させて内容器１の装着の際のそれら外容器２と内容器１との相対回転を制止する係合部を、先の第１の実施例において外容器２と内容器１とに形成した平坦面２ｅ，１ｇに代えて、外容器２の底部２ｃの内側底面に上向きに突設された一対の突起部（縦リブ）２ｆと、内容器１の底部１ｄの外側底面に下向きに突設された突起部（９０°間隔で隙間を隔てて環状に配置されたもの）１ｈとで構成している点でのみ、先の実施例と異なっており、他の点では第１の実施例と同様に構成しているので、以下にはその異なる点のみを主として説明する。また、図中第１の実施例におけると同様の部分は、それと同一の符号にて示す。
【００３４】
この実施例では、内容器１の内方へ変形可能な環状の外向き突出部１ｆが、先の実施例におけるよりも内容器１の底部１ｄの中心寄りに配置されており、内容器１の底部１ｄの突起部１ｈは、外容器２の底部２ｃの内面により押圧されて変形するその外向き突出部１ｆの、内向きに傾斜した側壁に設けられている。
【００３５】
この実施例の付替え式吐出容器にあっては、先の実施例と同様に、吐出器３のノズルヘッド８の操作で内容器１の充填空間Ｍ内の内容物を吐出させることができ、これにより内容器１の充填空間Ｍ内の内容物がなくなると、外容器２内の内容器１が、内容物を充填された新たな内容器１に付け替えられる。そしてその付替えの際の作業は、この実施例の付替え式吐出容器では、先ず吐出器３の保持部４を外容器２の入口部２ａから外して内容器１を外容器２から取り出し、次いでその内容器１の口頚部１ａから吐出器３のベースキャップ６を外し、次いで内容物を充填された新たな内容器１を外容器２内に挿入し、次いでその内容器１の口頚部１ａへの吐出器３のベースキャップ６の螺合と外容器２の入口部２ａへの吐出器３の保持部４の螺合とを順次に開始させた後、内容器１の底部１ｄの外向き突出部１ｆを外容器２の底部２ｃの内面により押圧して変形させながら、内容器１の口頚部１ａに吐出器３のベースキャップ６を螺合させて装着するのと並行して外容器２の入口部２ａに吐出器３の保持部４を螺合させて装着する、という手順で行われる。なお、内容器１の口頚部１ａへの吐出器３のベースキャップ６の螺合と外容器２の入口部２ａへの吐出器３の保持部４の螺合とを同時に開始させてもよい。
【００３６】
従って、この実施例の付替え式吐出容器によれば、内容器１の付替えの際の手数が従来よりも減るので付替えの手間を省くことができ、しかも図１（ａ）の下部に部分的に拡大して示すように、保持部４を外容器２の入口部２ａに羅合させて装着する際に変形した内容器１の底部１ｄの外向き突出部１ｆが保持部４と外容器２の底部２ｃとを反発力で押圧するので、外容器２に対する内容器１と吐出器３との固定を充分なものすることができる。
【００３７】
さらに、この実施例の付替え式吐出容器によれば、外容器２の深さに対する内容器１の高さの設定により、図２（ｃ）に示すように、外容器２の底部２ｃの突起部２ｆと内容器１の底部１ｄの突起部１ｈとが相対回転方向に互いに係合して内容器１の外容器２に対する相対回転を制止した状態で、内容器１の口頚部１ａのおねじ部１ｅへの吐出器３のベースキャップ６の筒体６ｃのめねじ部６ｄの螺合と、外容器２の入口部２ａのおねじ部２ｄへの吐出器３の保持部４の外筒体４ａのめねじ部４ｃの螺合とが順次にあるいは同時に開始されて並行して行われるので、吐出器３のベースキャップ６および保持部４を外容器２に対して回転させることで、内容器１の口頚部１ａを吐出器３に螺合させて装着するのと外容器２の入口部２ａを吐出器３に螺合させて装着するのとを１つの作業で同時に行うことができ、付替えの手間を大きく省くことができる。
【００３８】
さらに、この実施例の付替え式吐出容器によれば、外容器２と内容器１とを互いに係合させて内容器１の装着の際のそれら外容器２と内容器１との相対回転を制止する係合部を、外容器２の底部２ｃの突起部２ｆと内容器１の底部１ｄの突起部１ｈとで構成するので、他の部材を用いずに係合部を構成することができる。
【００３９】
図３（ａ）は、本発明の付替え式吐出容器のさらに他の一実施例の全体構成を、中心線を境とした右半部を断面として示す側面図であり、図３（ｂ）は、その実施例の付替え式吐出容器の外容器を示す、中心線を境とした右半部の断面図であり、図３（ｃ）は、その実施例の付替え式吐出容器の外容器の装着前の状態を、キャップを省略するとともに中心線を境とした右半部を断面として示す側面図である。
【００４０】
この第３の実施例の付替え式吐出容器は、外容器２と内容器１とを互いに係合させて内容器１の装着の際のそれら外容器２と内容器１との相対回転を制止する係合部を、先の第１の実施例において外容器２と内容器１とに形成した平坦面２ｅ，１ｇや第２の実施例において外容器２と内容器１とに形成した突起部２ｆ，１ｈに代えて、外容器２の底部２ｃの内側底面および内周面に設けたカップ状の弾性部材１６で構成している点でのみ、先の２つの実施例と異なっており、他の点では先の２つの実施例と同様に構成しているので、以下にはその異なる点のみを主として説明する。また、図中先の実施例におけると同様の部分は、それと同一の符号にて示す。
【００４１】
なお、この実施例では、先に第１および第２の実施例と同様に、内容器１の口頚部１ａのおねじ部１ｅへのベースキャップ６の筒体６ｃのめねじ部６ｄの螺合と、外容器２の入口部２ａのおねじ部２ｄへの保持部４の外筒体４ａのめねじ部４ｃの螺合とが順次に開始されて並行して行われるように、外容器２の深さに対する内容器１の高さの設定を行っているが、内容器１の口頚部１ａのおねじ部１ｅへの吐出器３のベースキャップ６の筒体６ｃのめねじ部６ｄの螺合が開始された後に外容器２の入口部２ａのおねじ部２ｄへの吐出器３の保持部４の外筒体４ａのめねじ部４ｃの螺合が開始されるように、外容器２の深さに対する内容器１の高さの設定を行ってもよい。
【００４２】
また、この実施例では、外容器２の入口部２ａへの吐出器３の装着の際に外容器２の底部２ｃの内面により押圧されて変形する内容器１の底部１ｄの外向き突出部１ｆは、第１の実施例のように内容器１の底部１ｄの周辺部分に設けているが、第２の実施例のように中心寄りに設けてもよい。
【００４３】
カップ状の弾性部材１６は、外容器２内に挿入された内容器１の底部１ｄの外側底面を囲み、その外側底面により押圧されるとその外側底面に摩擦係合する底壁部１６ａおよび、内容器１の底部１ｄの外周面より僅かに小さい内径を持ってその外周面を囲み、外容器２内に挿入された内容器１の底部１ｄの外周面により押圧されて弾性変形（拡径）しつつその外周面に摩擦係合する側壁部１６ｂを有しており、かかる弾性部材１６は、あらかじめ別途形成した後、例えばインサート成形により外容器２の底部２ｃの内面に固設することができる。
【００４４】
この実施例の付替え式吐出容器にあっては、先の２つの実施例と同様に、吐出器３のノズルヘッド８の操作で内容器１の充填空間Ｍ内の内容物を吐出させることができ、これにより内容器１の充填空間Ｍ内の内容物がなくなると、外容器２内の内容器１が、内容物を充填された新たな内容器１に付け替えられる。そしてその付替えの際の作業は、この実施例の付替え式吐出容器では、先ず吐出器３の保持部４を外容器２から外して内容器１を外容器２から取り出し、次いでその内容器１の口頚部１ａから吐出器３のベースキャップ６を外し、次いで内容物を充填された新たな内容器１を外容器２内に挿入し、次いでその内容器１の口頚部１ａへの吐出器３のベースキャップ６の螺合と外容器２の入口部２ａへの吐出器３の保持部４の螺合とを順次に開始させた後、内容器１の底部の外向き突出部１ｆを外容器２の底部２ｃの内側底面により弾性部材１６を介して押圧して変形させながら、内容器１の口頚部１ａに吐出器３のベースキャップ６を螺合させて装着すると同時に外容器２の入口部２ａに吐出器３の保持部４を螺合させて装着する、という手順で行われる。なお、内容器１の口頚部１ａへの吐出器３のベースキャップ６の螺合と外容器２の入口部２ａへの吐出器３の保持部４の螺合とを同時に開始させてもよい。
【００４５】
従って、この実施例の付替え式吐出容器によれば、内容器１の付替えの際の手数が従来よりも減るので付替えの手間を省くことができ、しかも図３（ａ）の下部に部分的に拡大して示すように、内容器１の保持部４を外容器２の入口部２ａに装着する際に変形した内容器１の底部１ｄの外向き突出部１ｆが、その外向き突出部１ｆと一緒に押圧されて弾性変形（圧縮変形）した弾性部材１６の底壁部１６ａとともに、内容器１の保持部４と外容器２の底部２ｃとを反発力で押圧するので、外容器２に対する内容器１と吐出器３との固定を充分なものとすることができる。
【００４６】
さらに、この実施例の付替え式吐出容器によれば、図３（ｃ）に示すように、外容器２の底部２ｃに設けた弾性部材１６の側壁部１６ｂが内容器１の底部１ｄの外周面に摩擦係合して外容器２に対する内容器１の相対回転を制止した状態で、内容器１の口頚部１ａのおねじ部１ｅへの吐出器３のベースキャップ６の筒体６ｃのめねじ部６ｄの螺合と、外容器２の入口部２ａのおねじ部２ｄへの吐出器３の保持部４の外筒体４ａのめねじ部４ｃの螺合とが順次にあるいは同時に開始されて並行して行われるので、吐出器３を外容器２に対し回転させることで、内容器１の口頚部１ａに吐出器３を螺合させて装着するのと外容器２の入口部２ａに吐出器３を螺合させて装着するのとを１つの作業で同時に行うことができ、付替えの手間を大きく省くことができる。
【００４７】
さらに、この実施例の付替え式吐出容器によれば、外容器２と内容器１とを互いに係合させて内容器１の装着の際のそれら外容器２と内容器１との相対回転を制止する係合部を、外容器２の底部２ｃに設けたカップ状の弾性部材１６で構成するので、その係合部を簡易に構成することができる。
【００４８】
図４（ａ）は、本発明の付替え式吐出容器のさらに他の一実施例の全体構成を、中心線を境とした右半部を断面として示す側面図であり、図４（ｂ）は、その実施例の付替え式吐出容器の内容器を、中心線を境とした右半部を一部切欠いて示す側面図であり、図４（ｃ）は、その内容器の底面図であり、図４（ｄ）は、その実施例の付替え式吐出容器の外容器の装着前の状態を、キャップを省略するとともに中心線を境とした右半部を断面として示す側面図である。
【００４９】
この第４の実施例の付替え式吐出容器は、外容器２と内容器１とを互いに係合させて内容器１の装着の際のそれら外容器２と内容器１との相対回転を制止する係合部を、先の第３の実施例において外容器２の底部２ｃに設けたカップ状の弾性部材１６に代えて、内容器１の底部１ｄの外側底面に設けた突起状の弾性部材１７で構成している点でのみ、第３の実施例と異なっており、他の点では第３の実施例と同様に構成しているので、以下にはその異なる点のみを主として説明する。また、図中先の実施例におけると同様の部分は、それと同一の符号にて示す。
【００５０】
なお、この実施例では、第１および第２の実施例と同様に、内容器１の口頚部１ａのおねじ部１ｅへのベースキャップ６の筒体６ｃのめねじ部６ｄの螺合と、外容器２の入口部２ａのおねじ部２ｄへの保持部４の外筒体４ａのめねじ部４ｃの螺合とが順次に開始されて並行して行われるように、外容器２の深さに対する内容器１の高さの設定を行っているが、内容器１の口頚部１ａのおねじ部１ｅへの吐出器３のベースキャップ６の筒体６ｃのめねじ部６ｄの螺合が開始された後に外容器２の入口部２ａのおねじ部２ｄへの吐出器３の保持部４の外筒体４ａのめねじ部４ｃの螺合が開始されるように、外容器２の深さに対する内容器１の高さの設定を行ってもよい。
【００５１】
また、この実施例では、外容器２の入口部２ａへの吐出器３の装着の際に外容器２の底部２ｃの内面により押圧されて変形する内容器１の底部１ｄの外向き突出部１ｆは、第１の実施例のように内容器１の底部１ｄの周辺部分に設けているが、第２の実施例のように中心寄りに設けてもよい。
【００５２】
突起状の弾性部材１７は、外容器２の入口部２ａへの吐出器３の装着の際に外容器２の底部２ｃの内面により押圧されて変形する内容器１の底部１ｄの外向き突出部１ｆに少なくとも１個、図示例では内容器１の中心周りに等間隔に８個設けられており、外容器２内に挿入された内容器１の底部１ｄが外容器２の底部２ｃの内側底面により押圧されるとそれぞれ弾性変形（圧縮変形）してその内側底面に摩擦係合する。かかる弾性部材１６は、例えば厚盛り印刷や２色成形等により、内容器１の底部１ｄの外側底面に固設することができる。
【００５３】
この実施例の付替え式吐出容器にあっては、先の第１乃至第３の実施例と同様に、吐出器３のノズルヘッド８の操作で内容器１の充填空間Ｍ内の内容物を吐出させることができ、これにより内容器１の充填空間Ｍ内の内容物がなくなると、外容器２内の内容器１が、内容物を充填された新たな内容器１に付け替えられる。そしてその付替えの際の作業は、この実施例の付替え式吐出容器では、先ず吐出器３の保持部４を外容器２から外して内容器１を外容器２から取り出し、次いでその内容器１の口頚部１ａから吐出器３のベースキャップ６を外し、次いで内容物を充填された新たな内容器１を外容器２内に挿入し、次いでその内容器１の口頚部１ａへの吐出器３のベースキャップ６の螺合と外容器２の入口部２ａへの吐出器３の保持部４の螺合とを順次に開始させた後、内容器１の底部の外向き突出部１ｆを外容器２の底部２ｃの内側底面により弾性部材１７を介して押圧して変形させながら、その内容器１の口頚部１ａに吐出器３のベースキャップ６を螺合させて装着すると同時に外容器２の入口部２ａに吐出器３の保持部４を螺合させて装着する、という手順で行われる。なお、内容器１の口頚部１ａへの吐出器３のベースキャップ６の螺合と外容器２の入口部２ａへの吐出器３の保持部４の螺合とを同時に開始させてもよい。
【００５４】
従って、この実施例の付替え式吐出容器によれば、内容器１の付替えの際の手数が従来よりも減るので付替えの手間を省くことができ、しかも図４（ａ）の下部に部分的に拡大して示すように、内容器１の保持部４を外容器２の入口部２ａに装着する際に変形した内容器１の底部１ｄの外向き突出部１ｆが、その外向き突出部１ｆと一緒に押圧されて弾性変形（圧縮変形）した弾性部材１７と一緒に、保持部４と外容器２の底部２ｃとを反発力で押圧するので、外容器２に対する内容器１と吐出器３との固定を充分なものとすることができる。
【００５５】
さらに、この実施例の付替え式吐出容器によれば、内容器１の底部１ｄに設けた弾性部材１７が外容器２の底部１ｃの内側底面に摩擦係合して外容器２に対する内容器１の相対回転を制止した状態で、内容器１の口頚部１ａのおねじ部１ｅへの吐出器３のベースキャップ６の筒体６ｃのめねじ部６ｄの螺合と、外容器２の入口部２ａのおねじ部２ｄへの吐出器３の保持部４の外筒体４ａのめねじ部４ｃの螺合とが順次にあるいは同時に開始されて並行して行われるので、吐出器３を外容器２に対して回転させることで、内容器１の口頚部１ａに吐出器３を螺合させて装着するのと外容器２の入口部２ａに吐出器３を螺合させて装着するのとを１つの作業で同時に行うことができ、付替えの手間を大きく省くことができる。
【００５６】
さらに、この実施例の付替え式吐出容器によれば、外容器２と内容器１とを互いに係合させて内容器１の装着の際のそれら外容器２と内容器１との相対回転を制止する係合部を、突起状の弾性部材１７で構成するので、その係合部を簡易に構成することができる。
【００５７】
以上、図示例に基づき説明したが、本発明の付替え式吐出容器は上述した実施例の構成のものに限定されず、例えば、吐出器の構成は、内容器内の内容物を吐出させることができるものであれば上記例と異なるものでもよい。また、係合部の形状や係合箇所の数等は、内容器や外容器の装着方法等所要に応じて適宜変更することができる。
【００５８】
そして吐出器への内容器や外容器の装着方法は、螺合によるものに限られず、傾斜したアンダーカット部同士を回転により掛合させる方法や、吐出器への内容器や外容器の押圧による少なくとも一方のアンダーカット部の弾性変形により水平なアンダーカット部同士を掛合させる方法等によってもよい。また、前記内容器の底部の外側底面に、突起状の弾性部材に代えてリング状の弾性部材を設けてもよい。
【産業上の利用可能性】
【００５９】
かくして本発明の付替え式吐出容器によれば、内容器の付替えの際の手数が減るので付替えの手間を省くことができ、しかも保持部材を外容器の入口部に装着する際に変形した内容器の底部の外向き突出部が保持部材と外容器の底部とを反発力で押圧するので外容器に対する内容器と吐出器との固定を充分なものとすることができる。
【符号の説明】
【００６０】
１  内容器
１ａ  口頚部
１ｂ  肩部
１ｃ  胴部
１ｄ  底部
１ｅ  おねじ部
１ｆ  外向き突出部
１ｇ  平坦面
１ｈ  突起部
２  外容器
２ａ  入口部
２ｂ  胴部
２ｃ  底部
２ｄ  おねじ部
２ｅ  平坦面
２ｆ  突起部（縦リブ）
３  吐出器
４  保持部
４ａ  外筒体
４ｂ  内筒体
４ｃ  めねじ部
５  オーバーキャップ
５ａ  内筒
６  ベースキャップ
６ａ  二重筒部
６ｂ  天面板
６ｃ  筒体
６ｄ  めねじ部
６ｅ  起立環状周壁
６ｆ  カバー
７  吐出器本体
８  ノズルヘッド
８ａ  操作部
８ｂ  内側筒体
８ｃ  ノズル
８ｄ  外側筒体
１５  吸引管
１６  弾性部材
１６ａ  底壁部
１６ｂ  側壁部
１７  弾性部材
Ｍ  充填空間
【図１】
0006450206.tif 000002
【図２】
0006450206.tif 000003
【図３】
0006450206.tif 000004
【図４】
0006450206.tif 000005